(57)【要約】相対して可動な少なくとも２つの素子により、特に骨片を移動させる骨（５）又は骨の一部の伸長装置であって、少なくとも１つの係止部材（１４．１、１４．２）を案内部材（１）内又は案内部材に沿って軸方向に移動させることを特徴とする。
2006523476.tif 000002
【特許請求の範囲】
【請求項１】
相対して可動な少なくとも２つの素子により、特に骨片が移動する骨（５）又は骨の一部の伸長装置であって、
少なくとも１つの係止部材（１４．１、１４．２）が案内部材（１）内又は案内部材に沿って軸方向に可動であることを特徴とする骨又は骨の一部の伸長装置。
【請求項２】
少なくとも１つの駆動装置（２）により、少なくとも１つの係止部材（１４．１、１４．２）を案内部材（１）内又は案内部材に沿って軸方向に可動に駆動させることを特徴とする請求項１に記載の骨又は骨の一部の伸長装置。
【請求項３】
案内部材（１）は細長く、好ましくは連続した案内スリット（６）を有していることを特徴とする請求項１又は請求項２に記載の骨又は骨の一部の伸長装置。
【請求項４】
案内部材（１）を骨（５）又は骨の一部に係止するための固定部材を通し、差込むために、案内部材（１）の両端に円形の貫通孔（４．１、４．２）を備えていることを特徴とする請求項１ないし請求項３のいずれか１項に記載の骨又は骨の一部の伸長装
【請求項５】
駆動装置（２）を保持し、差し込むために、案内部材（１）の一端に鞘状の保持孔（９）を備えていることを特徴とする請求項１ないし請求項４のいずれか１項に記載の骨又は骨の一部の伸長装置。
【請求項６】
駆動装置（２）は、場合によってはギア（１１）及び制御装置（１２）を有するモータ（１０）並びにモータ（１０）又はギア（１１）に接続している軸（１３）より形成され、少なくとも１つの係止部材（１４．１、１４．２）を軸（１３）に配置していることを特徴とする請求項２ないし請求項５のいずれか１項に記載の骨又は骨の一部の伸長装置。
【請求項７】
軸（１３）は、少なくとも１つの係止部材に差込み、それと嵌合したネジ棒として形成されていることを特徴とする請求項６に記載の骨又は骨の一部の伸長装置。
【請求項８】
軸（１３）又はネジ棒の回転により、案内スリット（６）内に配置した係止部材（１４．１、１４．２）は案内部材（１）に沿って前後に可動であることを特徴とする請求項６又は請求項７に記載の骨又は骨の一部の伸長装置。
【請求項９】
係止部材（１４．１、１４．１）は断面が方形又は円形であり、少なくともその一部が案内部材（１）の案内スリット（６）より突出していることを特徴とする請求項１ないし請求項８のいずれか１項に記載の骨又は骨の一部の伸長装置。
【請求項１０】
モータ（１０）を用いて軸（１３）を駆動することにより、係止部材（１４）を介して骨の一部、特に骨片（１５）が移動可能となり、骨の一部と骨片（１５）の間に空隙（１６）が形成されていることを特徴とする請求項１ないし請求項９のいずれか１項に記載の骨又は骨の一部の伸長装置。
【請求項１１】
係止部材（１４．１、１４．２）が骨片（１５）を係止、特に骨片に嵌合して軸方向に移動させるか、又は固定部材が骨片（１５）を係止部材（１４．１、１４．２）に取外し可能に係止していることを特徴とする請求項１ないし請求項１０のいずれか１項に記載の骨又は骨の一部の伸長装置。
【請求項１２】
駆動装置（２）は保持孔（９）に軸方向から挿入可能であり且つモータ（１０）は案内部材（１）内、特に保持孔（９）域に回転しない様に挿入されていることを特徴とする請求項５ないし請求項１１のいずれか１項に記載の骨又は骨の一部の伸長装置。
【請求項１３】
案内スリット（６）の一端に軸（１３）を保持する軸保持部（７）を備えていることを特徴とする請求項６ないし請求項１２のいずれか１項に記載の骨又は骨の一部の伸長装置。
【請求項１４】
軸（１３）に２つの係止部材（１４．１、１４．２）を備え、モータ（１０）が作動すると、該係止部材が案内部材（１）の案内スリット（６）内を互いに近付くか、又は離れるように操作可能であることを特徴とする請求項６ないし請求項１３のいずれか１項に記載の骨又は骨の一部の伸長装置。
【発明の詳細な説明】
【技術分野】
【０００１】
本発明は骨又は骨の一部を伸長する装置、特に相対して動く少なくとも２つの素子による骨片の移動に関する。
【背景技術】
【０００２】
このような装置としては、骨を伸長させるか骨片を移動するために、例えば電動又は油圧駆動により相対的に移動可能な、特にブッシュなど２つの相対する素子により構成する骨髄製の釘形状の装置が知られている。
【０００３】
従来の装置は骨の移動のためのストロークが極めて短く限定され且つ設置長さが極めて長いとの短所があった。また、清掃及び操作にコストが掛かるという短所もあった。
【発明の開示】
【発明が解決しようとする課題】
【０００４】
本発明は、上記、短所の無い骨又は骨の一部を伸長させる装置を提供することが目的であり、それにより、ストロークを大きく且つ設置長さを短くすることが可能となる。
【０００５】
更に、この装置の清掃及び消毒が簡単にできるばかりでなく、特に取り外しが簡単にできる。更に、この装置は正確に操作・制御ができる。
【課題を解決するための手段】
【０００６】
少なくとも１つの係止部材を案内部材方向又は案内部材に沿って軸方向に移動可能とすることにより、上記の目的が達成できる。
【０００７】
本発明において、少なくとも１つの係止部材を軸方向に可動に案内部材に挿入するか又は、案内部材に沿って案内することが好ましいことが判っている。好適な実施例においては、少なくとも１つの係止部材を案内部材の案内スリットに挿入し、軸、ネジ棒などによりこのスリットに沿って前後に可動とすることである。駆動装置又は電動機を、場合によっては変速機に接続し、この軸を駆動し、案内スリット内を前後に正確に動かすことができる。場合によっては案内部材より突出した係止部材が、骨又は骨の一部から離れている骨片を保持するのに用いられる。骨又は骨の一部からは離れて係止部材に固定されている骨片は、骨又は骨の一部から離れるか又は近付くように、１日当り０．５ないし１．５ｍｍ好ましくは１ｍｍとゆっくり移動すると、骨接合法によって骨片の移動、骨の再生及び成長が確実になる。
【０００８】
例えば、係止部材を溝などに嵌合させ、軸、ネジ棒、ケーブルなどを介して案内部材に沿って軸方向に骨片を移動させるのも本発明の範囲内である。
【０００９】
更に本発明の実施例において、２つの係止部材を軸に配置し、案内部材に沿って、好ましくは案内スリット内を案内することも可能であり、それによって、例えば向かい合った２つの骨の一部の両端において、分離した骨片を係止部材に固定し、駆動装置又は軸を操作して、完全な骨が生成するように、２つの骨片又は係止部材を互いにゆっくりと移動させることができる。
【発明を実施するための最良の形態】
【００１０】
以下、図面を用いて、実施例により本発明の利点、特徴及び詳細を説明する。
【００１１】
本発明による、骨又は骨の一部を伸長させる装置Ｒ１、特に骨片を移動させる案内部材１及び駆動装置２を図１（ａ）、（ｂ）に示す。案内部材１は、例えば骨髄釘として形成し、末端域３．１、３．２に貫通孔４．１、４．２を備え、該貫通孔は骨又は骨の一部内において又は骨又は骨の一部と共に案内部材１の固定、特に係止に用いられる。図には詳細に示していないが、固定部材は案内部材１を骨５に取外し可能に係止している。
【００１２】
案内部材内に軸方向に、好ましくは連続的に伸長している案内スリット６を備え、その一端に、場合によっては貫通孔として、軸保持部７を有している。末端域３．２の貫通路８及びそれ接する保持孔９が案内スリット６の他端に接続している。
【００１３】
駆動装置２はモータ１０、場合によっては上流のギア１１及び下流の制御装置１２から構成されている。
【００１４】
軸１３はモータ１０及び／又はギア１１に駆動可能に接続しており、少なくとも１つの係止部材１４．１を載置している。軸１３は、例えばネジ棒などとして形成し、係止部材１４．１を貫通するか又は、係止部材１４．１の内ネジに嵌合している。
【００１５】
図２の平面図に示す装置Ｒ１は案内部材１に挿入した駆動装置２を備えている。係止部材１４．１を装着していない駆動装置２は案内部材１の保持孔９を通して案内部材に挿入することができ、案内スリット６を通して係止部材１４．１を挿入し、軸１３を駆動することにより係止部材が保持され、軸１３の末端の軸受部が軸保持部７に確実に保持されるようになっている。
【００１６】
駆動装置２、特にモータ１０は案内部材１の保持孔９に取外し可能に固定され、不図示の接続ケーブル、誘導アダプタなどを介して駆動装置２への電源供給又は制御ができるようになっている。この使用状態において、モータ１０又はギア１１により軸１３が回転し、その結果、係止部材１４．１が図示のＸ方向又は逆方向に移動可能となり、案内スリット６により図示のＸ方向に単純な軸方向移動を行うことになる。
【００１７】
特に側面図に模式的に示すように、係止部材１４．１は軸１３の回転方向に応じて、案内スリット６沿って、前後に可動となる。
【００１８】
案内スリット６の長さによって、係止部材１４．１が可動なストロークＨが決まる。
【００１９】
本発明の作用を以下に述べる。
【００２０】
図４に示すように、例えば末端の２つの骨５又は骨５の一部に本発明による装置Ｒ１を挿入し、骨片１５の移動により２つの骨を癒着させることができる。図示のように、間隙１６によって骨片１５は一方の骨５から分離している。次いで、係止部材１４．１を骨片１５に結合させるか、又は骨片に挿入又は固定部材により固定する。骨片１５を移動させるための係止部材１４を間隙１６に配置し、骨片１５の裏側に装着することも考えられる。次いで、所定の時間間隔をおいて、駆動装置２を用いて、モータ１０を介して軸１３を駆動し、係止部材１４．１を一日当り例えば、０．５ないし１．５ｍｍ、好ましくは１ｍｍの低速で移動させると、同時に骨片１５が反対側の骨５へと移動する。
【００２１】
このようにして、骨片の移動により骨５が伸長し完全に再生する。
【００２２】
図５には、前述の様式に相当する別の実施例の装置Ｒ２を示す。末端部３．１近傍の軸１３に係止部材１４．１を、且つ末端部３．２近傍に係止部材１４．２を設置した点が異なっている。
【００２３】
例えば、好ましくは軸の半分を右ネジとし、残りの半分を左ネジとすると、中点Ｍから等距離にある係止部材１４．１、１４．２は、軸１３の回転に応じて、互いに近づくか、又は離れるように一定の速度で移動する。
【００２４】
このようにして、例えば、骨片１５が各々の骨５又は骨の一部から、互いに、例えば一方が１ｍｍ／日の速度で移動すると、２つの骨の骨片の移動が加速される。この点も本発明の範囲内である。
【図面の簡単な説明】
【００２５】
【図１】（ａ）は骨を伸長させる装置の案内部材に挿入する駆動装置を模式的に示す側面図、（ｂ）は案内部材を模式的に示す平面図
【図２】駆動装置を挿入した案内部材によって構成される骨を伸長させる装置を模式的に示す平面図
【図３】図２に示す装置の側面図
【図４】図２に示す装置の使用状態を模式的に示す平面図
【図５】図２に示す装置の別の実施例を模式的に示す平面図
【図６】図５に示す装置の使用状態を模式的に示す平面図
【符号の説明】
【００２６】
１    案内部材
２    駆動装置
３    末端部
４    貫通孔
５    骨
６    案内スリット
７    軸保持部
８    貫通路
９    保持孔
１０  モータ
１１  ギア
１２  制御装置
１３  軸
１４  係止部材
１５  骨片
１６  間隙
Ｒ１    装置
Ｒ２    装置
Ｈ    ストローク
Ｘ    方向
Ｍ    中点
Ｒ    変速機
【図１】
2006523476.tif 000003
【図２】
2006523476.tif 000004
【図３】
2006523476.tif 000005
【図４】
2006523476.tif 000006
【図５】
2006523476.tif 000007
【図６】
2006523476.tif 000008
【手続補正書】
【提出日】平成16年9月2日(2004.9.2)
【手続補正１】
【補正対象書類名】特許請求の範囲
【補正対象項目名】全文
【補正方法】変更
【補正の内容】
【特許請求の範囲】
【請求項１】
相対して可動な少なくとも２つの素子により、特に骨片が移動する骨（５）又は骨の一部の伸長装置であって、少なくとも１つの係止部材（１４．１、１４．２）が案内部材（１）内又は案内部材に沿って軸方向に可動であり、且つ少なくとも１つの駆動装置（２）により、少なくとも１つの係止部材（１４．１、１４．２）を案内部材（１）内又は案内部材に沿って軸方向に可動に駆動させる装置において、
駆動装置（２）は、場合によってはギア（１１）及び制御装置（１２）を有するモータ（１０）並びにモータ（１０）又はギア（１１）に接続している軸（１３）より形成され、少なくとも１つの係止部材（１４．１、１４．２）を軸（１３）に配置し、その軸（１３）は、少なくとも１つの係止部材に差込み、それと嵌合したネジ棒として形成されていることを特徴とする骨又は骨の一部の伸長装置。
【請求項２】
案内部材（１）は細長く、好ましくは連続した案内スリット（６）を有していることを特徴とする請求項１に記載の骨又は骨の一部の伸長装置。
【請求項３】
案内部材（１）を骨（５）又は骨の一部に係止するための固定部材を通し、差込むために、案内部材（１）の両端に円形の貫通孔（４．１、４．２）を備えていることを特徴とする請求項１又は請求項２に記載の骨又は骨の一部の伸長装
【請求項４】
駆動装置（２）を保持し、差し込むために、案内部材（１）の一端に鞘状の保持孔（９）を備えていることを特徴とする請求項１ないし請求項３のいずれか１項に記載の骨又は骨の一部の伸長装置。
【請求項５】
軸（１３）又はネジ棒の回転により、案内スリット（６）内に配置した係止部材（１４．１、１４．２）は案内部材（１）に沿って前後に可動であることを特徴とする請求項１ないし請求項４のいずれか１項に記載の骨又は骨の一部の伸長装置。
【請求項６】
係止部材（１４．１、１４．１）は断面が方形又は円形であり、少なくともその一部が案内部材（１）の案内スリット（６）より突出していることを特徴とする請求項１ないし請求項５のいずれか１項に記載の骨又は骨の一部の伸長装置。
【請求項７】
モータ（１０）を用いて軸（１３）を駆動することにより、係止部材（１４）を介して骨の一部、特に骨片（１５）が移動可能となり、骨の一部と骨片（１５）の間に空隙（１６）が形成されていることを特徴とする請求項１ないし請求項６のいずれか１項に記載の骨又は骨の一部の伸長装置。
【請求項８】
係止部材（１４．１、１４．２）が骨片（１５）を係止、特に骨片に嵌合して軸方向に移動させるか、又は固定部材が骨片（１５）を係止部材（１４．１、１４．２）に取外し可能に係止していることを特徴とする請求項１ないし請求項７のいずれか１項に記載の骨又は骨の一部の伸長装置。
【請求項９】
駆動装置（２）は保持孔（９）に軸方向から挿入可能であり且つモータ（１０）は案内部材（１）内、特に保持孔（９）域に回転しない様に挿入されていることを特徴とする請求項４ないし請求項８のいずれか１項に記載の骨又は骨の一部の伸長装置。
【請求項１０】
案内スリット（６）の一端に軸（１３）を保持する軸保持部（７）を備えていることを特徴とする請求項１ないし請求項９のいずれか１項に記載の骨又は骨の一部の伸長装置。
【請求項１１】
軸（１３）に２つの係止部材（１４．１、１４．２）を備え、モータ（１０）が作動すると、該係止部材が案内部材（１）の案内スリット（６）内を互いに近付くか、又は離れるように操作可能であることを特徴とする請求項１ないし請求項１０のいずれか１項に記載の骨又は骨の一部の伸長装置。
【手続補正２】
【補正対象書類名】明細書
【補正対象項目名】０００１
【補正方法】変更
【補正の内容】
【０００１】
本発明は骨又は骨の一部を伸長する装置、特に相対して動く少なくとも２つの素子による骨片の移動に関するものであり、少なくとも１つの係止部材が案内部材内又は案内部材に沿って軸方向に可動であり、且つ少なくとも１つの駆動装置により、少なくとも１つの係止部材を案内部材内又は案内部材に沿って軸方向に可動に駆動させる装置に関する。
【手続補正３】
【補正対象書類名】明細書
【補正対象項目名】０００３
【補正方法】変更
【補正の内容】
【０００３】
従来の装置は骨の移動のためのストロークが極めて短く限定され且つ設置長さが極めて長いとの短所があった。また、清掃及び操作にコストが掛かるという短所もあった。
独国特許出願公開第１９７０８２７９Ａ１号明細書には管状骨の骨片を伸長するシステムが開示されており、骨髄釘の内部には骨片を固定するための固定部材を保持する鞘が形成され、ネジ棒が駆動可能に挿入されている。これによって、骨片の移動長さはある断面積以下に限られていた。
独国特許第１９５２７２２Ｃ１号明細書には、相互に可動な２つの部材から構成する体内に挿入した骨髄釘を記載している。
軸によって２つの部材が互いに離れる骨及び組織を伸長する類似の装置が米国特許第５，３５６，４１１明細書に記載されている。
米国特許第５，７２０，７４６号明細書には２つの部材の位置をずらす機械装置が記載されており、第２の部材が第１の部材から出てくるようになっている。
欧州特許出願公開第１０３３１１２Ａ２号明細書には骨を伸長するための骨髄釘が開示されており、それに隣接する末端部にコイルが組込まれ、モータへ非接触で電力が供給できるようになっている。
米国特許第５，７０４，９３８号明細書に機械的に駆動する伸長装置が記載されており、軸を介して伸長装置の一部が他の部分に対して相対的に移動するようになっている。
【国際調査報告】
2006523476.tif 000009
2006523476.tif 000010
2006523476.tif 000011
2006523476.tif 000012
2006523476.tif 000013
2006523476.tif 000014